(57)【要約】【課題】      動脈硬化症、高脂血症、糖尿病、高血圧症、中心性肥満症、或いは心筋梗塞などの生活習慣病と言った疾病に共通する前段階の代謝異常（メタボリックシンドローム）の検査法を提供することである。【解決手段】  （コリン型のプラスマローゲン含有量）／（エタノールアミン型のプラスマローゲン含有量）を求めるステップを具備する疾病の検査法。【特許請求の範囲】
【請求項１】
酸化傷害の蓄積により起こる疾病の発症予防を目的として、酸化傷害の蓄積の程度を測定する検査法であり、
血液中プラスマローゲン濃度を測定することを特徴とする検査法。
【請求項２】
癌、動脈硬化、動脈硬化を基礎疾患とする心筋梗塞、脳梗塞、糖尿病、炎症、或いはアルツハイマー病などの疾病の発症予防を目的として、酸化傷害の蓄積の程度を測定する検査法であることを特徴とする請求項１の検査法。
【請求項３】
生活習慣病の発症予防を目的として、前記疾病の発症に至る共通の前段階状態を検査する方法であり、
血漿あるいは血清中のコリン型プラスマローゲンとエタノールアミン型プラスマローゲンの含有比を測定することを特徴とする検査法。
【請求項４】
動脈硬化、高脂血症、糖尿病、高血圧、或いは中心性肥満などの疾病の発症予防を目的として、前記疾病の発症に至る共通の前段階状態を検査する方法であることを特徴とする請求項３の検査法。
【請求項５】
血漿、血清、及び／又は赤血球膜中のプラスマローゲン含有量を、三ヨウ化物イオン（Ｉ３−）を含む試薬を用いて測定することを特徴とする請求項１〜請求項４いずれかの検査法。
【請求項６】
血漿、血清、及び／又は赤血球膜から抽出した脂質に三ヨウ化物イオン（Ｉ３−）を反応させて脂質成分中のプラスマローゲンにヨウ素（Ｉ）を特異的に結合させる段階と、前記結合物をクロマトグラフィーの手法によりコリン型プラスマローゲンとエタノールアミン型プラスマローゲンとに分別して定量することを特徴とする請求項１〜請求項５いずれかの検査法。
【請求項７】
放射性ヨウ素を用いることを特徴とする請求項５又は請求項６の検査法。
【請求項８】
非放射性ヨウ素を用いることを特徴とする請求項５又は請求項６の検査法。
【請求項９】
三ヨウ化物イオン（Ｉ３−）を含む試薬は、ヨウ素イオン（Ｉ−）を、アルコール中で、酸性条件下、酸化剤で酸化することにより調整されることを特徴とする請求項５〜請求項８いずれかの検査法。
【発明の詳細な説明】
【技術分野】
【０００１】
本発明は、癌、動脈硬化症、動脈硬化を基礎疾患とする心筋梗塞や脳梗塞、更に糖尿病や炎症、アルツハイマー病などの酸化傷害の蓄積により起こる疾病や、動脈硬化症や高脂血症、糖尿病、高血圧、中心性肥満などの生活習慣病（メタボリックシンドローム）の発症予防を目的とする検査法に関する。
【背景技術】
【０００２】
加齢と言う生理現象のみならず、癌や動脈硬化症、動脈硬化を基礎疾患とする心筋梗塞や脳梗塞、更に糖尿病や炎症、アルツハイマー病など様々な疾病が、酸化傷害の蓄積を起因として引き起こされることが明らかにされている。予防医学の観点からは、これらの疾病の発症を未然に防ぐ上で、体内に蓄積された酸化傷害の程度を的確に知ることが必要であり、適切な酸化ストレスマーカーの探索が盛んに行われている。現在までに、酸化ストレスマーカーとして報告されているものはかなりの数に上り、血液、尿、呼気などに含まれる脂質、タンパク質、核酸などの酸化生成物、或いは抗酸化物などが候補として挙げられ、これらの測定法についても様々な報告がある。
【０００３】
一方、最近、動脈硬化症や高脂血症、糖尿病、高血圧、中心性肥満などの生活習慣病が、共通の代謝異常を基盤として発症することが明らかとなり、これらの疾病はメタボリックシンドロームという概念で理解されるようになってきた。メタボリックシンドロームの根因には、中心性肥満とインスリン抵抗性があると考えられており、生活習慣病の発症の前段階検査として、これらを測定することの重要性が指摘されている。しかし、中心性肥満の判定は、これを正確に測定できるＭＲＩ（Ｘ線画像診断）が予防診断の目的には極めて高額過ぎること、簡易法の腹位周長の測定は必ずしも正確な中心性肥満の判定法とは言えないなどの問題がある。又、インスリン抵抗性の判定も、糖負荷試験やHOMA−ＩＲなど測定が煩雑で、被験者に身体的・時間的に負担を与える。
【発明の開示】
【発明が解決しようとする課題】
【０００４】
酸化傷害の蓄積により起こる疾病と生活習慣病は、動脈硬化症や糖尿病に代表されるように両カテゴリーに重複する疾患である場合が多い。これは、生理的な酸化傷害の蓄積である老化と生活習慣病の発症頻度が密接に関連することからも理解できる。
【０００５】
従って、両カテゴリーに共通する指標の探索とその測定法の確立は重要である。
【０００６】
すなわち、本発明が解決しようとする課題は、酸化ストレスマーカーにも成り、生活習慣病の発症の前段階を示す指標にも成り得る生体物質の提示と、その簡便・迅速な測定法を提供することである。
【課題を解決するための手段】
【０００７】
グリセロリン脂質の中で、sn-1位に脂肪酸がビニルエーテル結合(−Ｏ−ＣＨ＝ＣＨ−)したアルケニルアシル型グリセロリン脂質をプラスマローゲンという。天然に存在するプラスマローゲンの多くがcholine plasmalogen （ＣＰ）およびethanolamine plasmalogen（ＥＰ）であり、動物全般とある種の嫌気性微生物に広く分布する。ヒトではプラスマローゲンはリン脂質全体の約１８％を占めるが、その含有量は組織や細胞によって大きく異なる。脳ではエタノールアミングリセロリン脂質の７０％近くをＥＰが占め、炎症性・免疫性細胞（リンパ球、マクロファージ、好中球など）にも４０〜７０％程度のＥＰが含まれる。肝臓には５％以下のＥＰしか存在しないが、肝臓で合成・分泌された循環血中のリポタンパク質には５０〜７０％ものＥＰが含まれ、肝臓はプラスマローゲンをリポタンパク質に組み込む目的で合成していると推測されている。心臓は他の臓器・組織と異なり、ＥＰ（４０〜６０％）に加えコリングリセロリン脂質中に占めるＣＰの含有割合も大きい（４０％程度）のが特徴である。
【０００８】
プラスマローゲンの生理的な役割として、細胞融合や食作用、分泌作用に関わる膜融合作用、情報伝達や生体高分子の細胞内輸送に関わるラフトの形成、酸化され易い多価不飽和脂肪酸の貯蔵体としての役割、細胞内情報伝達物質としての役割、ビニルエーテル結合でのラジカル消去作用や、生体膜とこれに含まれるコレステロールの酸化感受性を低下させる内因性抗酸化物質としての役割などが報告されている。又、ヒトの遺伝的なプラスマローゲン欠損が、重篤な精神遅滞、 筋の緊張低下、 副腎機能障害、 白内障、 聴覚障害、 頭蓋顔面異形、 軟骨形成不全、発育不全などの病状を呈することから、正常な身体の発育や正常な細胞機能の発現にプラスマローゲンがきわめて重要な役割を担うことが示唆されている。
【０００９】
プラスマローゲンの生合成は、以下の七つの反応を経て初めにＥＰが合成される。初めの二つの反応はペルオキシソーム中で行なわれる。
（１）  長鎖アシルＣｏＡを材料としてdihydroxyacetone phosphate （ＤＨＡＰ）に脂肪酸をエステル結合する。
（２）  sn-1位の脂肪酸を長鎖アルコール（ＲＯＨ）と置換することによりエーテル結合を形成し、1-alkyl-DHAPを生成する。
（３）  1-alkyl-DHAPのsn-2位のケトン基を還元し、
1-alkyl-2-lyso-sn-glycero-3-phosphateを生成する。
（４）  アシルＣｏＡを材料としてsn-2位に脂肪酸をエステル結合する。
（５）  sn-３位からリン酸を離脱する。
（６）  sn-３位にphosphoethanolamineを付加する。
（７）  sn-1位のalkyl鎖のＣ１とＣ２との間に二重結合を導入してビニルエーテル結合（−Ｏ−ＣＨ＝ＣＨ−）を形成する。
【００１０】
次に、ＥＰを前駆体としてＣＰが合成されるが、その生成経路に関しては未だ良く判ってない。又、プラスマローゲン生合成の調節の律速段階が何処であるかも判ってない。但し、生合成の制御はかなり厳密で、過剰な合成が起こらないような調節機構が存在し、生合成がＥＰからＣＰへの変換能に依存している可能性が考えられる。
【００１１】
血漿中には２〜３ｍＭのリン脂質がリポタンパク質成分として存在するが、その６０〜７５％がコリングリセロリン脂質で、エタノールアミングリセロリン脂質の割合は２〜５％程度に過ぎない。この含有割合は各リポタンパク質（ＶＬＤＬ，ＬＤＬ，ＨＤＬ）間で大差はないが、肝臓や赤血球（コリングリセロリン脂質が約４割、エタノールアミングリセロリン脂質が約３割）と比べると大きく異なる。血漿中のプラスマローゲン濃度は０．１〜０．３ｍMで、choline
plasmalogen ／ethanolamine plasmalogen（ＣＰ／ＥＰ）が０．５〜１．５程度である。つまりコリングリセロリン脂質の約５％、エタノールアミングリセロリン脂質の５０〜６０％がプラスマローゲンである。プラスマローゲンの濃度分布も、各リポタンパク質間で大差はない。赤血球膜には血液あたり０．３〜０．４ｍMに相当するプラスマローゲンが含まれており、その７〜８割をＥＰが占める。赤血球膜と血漿リポタンパク質間では、リン脂質やコレステロールが相互に転移し、平衡状態を保っていると考えられる。そして、赤血球膜中のプラスマローゲン量が血漿プラスマローゲン濃度に与える影響も大きいと推測される。しかし、赤血球膜ではトータルのプラスマローゲン量もＣＰ／ＥＰ値も、血漿と比べると、個人差による変動は極めて小さい。加齢に伴い、血漿および赤血球膜中のプラスマローゲン濃度の低下がみられる。又、高脂血症によっても赤血球膜や血漿中のプラスマローゲン濃度の低下がみられ、血清トリグリセリド（ＴＧ）濃度とプラスマローゲン濃度との間には負相関が認められる。家族性高コレステロール血症では、特にＬＤＬ中のプラスマローゲン含有量の減少がみられ、血液透析（LDL aphaeresis）によＬＤＬコレステロール濃度の著明な低下（改善）と血漿プラスマローゲン濃度の増加（回復）が起こる。因みに、ＬＤＬ中のプラスマローゲン濃度とＬＤＬの酸化感受性（銅イオンによる酸化のlag timeで評価）との間には正相関が認められる。
【００１２】
最近、本願発明者は、通常のＬＤＬよりも粒子サイズが小さく比重が重いsmall, dense ＬＤＬ（ｓＬＤＬ）の生成に血漿プラスマローゲンが関与している可能性を見出した。ｓＬＤＬは、超悪玉コレステロールとも言われ、酸化され易く、ＬＤＬレセプター以外で細胞に取り込まれることから、動脈硬化惹起性と考えられている。日本人で心筋梗塞を発症した患者では、ｓＬＤＬの保有率が７割以上を占め、2型糖尿病でもｓＬＤＬの出現頻度が高いことが判って来た。そして、インスリン抵抗性を共通基盤にもつメタボリックシンドロームの症候の一つとしてｓＬＤＬは注目される。ｓＬＤＬは通常のＬＤＬと比べてトリグリセリド（ＴＧ）の構成比が高いことや、その出現頻度が血中ＴＧレベルと強い正相関を示すことから、TG-richなＶＬＤＬに由来して生成すると考えられるが、その詳細な生成機序は未だ解明されていない。
【００１３】
ところで、本願発明者は、高脂血症者を含む計１４８名について、年齢、性、身長、体重、ＢＭＩ、冠動脈狭窄の有無、耐糖能異常、ＧＡＧ、ＯＧＴＴ、 高脂血症、耐糖能異常、喫煙（本数／日、期間）、家族歴、高血圧症、痛風などの１５の検査項目と、ＴＣ、空腹時ＴＧ、ＨＤＬ、ＬＤＬ、ＦＢＳ、ＨｂＡ１ｃ、ＴＣ 2、 ＴＧ 2、 ＨＤＬ 2、ＬＤＬ 2、アポ蛋白Ａ-Ｉ、アポ蛋白Ａ-II、アポ蛋白Ｂ、アポ蛋白Ｃ- II 、アポ蛋白Ｃ- II II、アポ蛋白E、ＬＰ（Ａ）、ＬＰ-Ｆ ＰＧＲ、リポ蛋白α（ＨＤＬ）、リポ蛋白β（ＬＤＬ）、リポ蛋白preβ（ＶＬＤＬ）、ＲＬＰ-Ｃ、S_0'、S_120'、IRI_0'、IRI_120'、IRI_0'、IRI_120'、HOMA_IR、LPL、尿酸値、アディポネクチン、MDA_LDL、LPL後、ApoB48前、ApoB48後、LDL_size、リン脂質濃度、コリンプラスマローゲン（ＣＰ）、エタノールアミンプラスマローゲン（ＥＰ）、ＣＰ／ＥＰの４１の血液検査項目を測定し、各項目間での相関性を調べた。
【００１４】
その結果、空腹時トリグリセリド（ＴＧ），ＨＤＬ2，ＣＰ／ＥＰの各値とＬＤＬサイズとの間で、各々、有意な相関性（相関係数＞０．４）が認められた。前２者とＬＤＬサイズとの相関性については知られていたが、今回、初めてＬＤＬサイズに血漿プラスマローゲンが関与することが判った。ＣＰ／ＥＰは空腹時ＴＧとの間でも有意な相関性（相関係数、−０．３５９）を示すことから、ＣＰ／ＥＰの低下は、高ＴＧ血
→[  ]→ ｓＬＤＬの出現と言う図式の空白を埋めるkey eventに関わると考えられる。ＥＰはＣＰの生合成上の前駆体であることから、ＣＰ／ＥＰはＥＰかＣＰへの移行の割合を示す値と解釈でき、その移行率の低下をもたらす原因あるいは低下の結果がｓＬＤＬの出現に関与していると考えられる。血漿中のプラスマローゲンはＣＰとＥＰとが同程度存在するが、その合成臓器である肝自体は他の多くの臓器と同様、ＥＰを主に合成する。従って、血漿プラスマローゲンのＣＰ／ＥＰは、リポタンパク質の合成・分泌時における積み込み・分配や循環血中での再編・修飾によって最終的に決定され、必ずしも肝での合成時におけるＣＰ／ＥＰを示している訳ではない。しかしながら、第一義的には血漿プラスマローゲン濃度は肝での合成量に依存することから、肝でのＥＰからＣＰへの変換能が血漿プラスマローゲン濃度やＣＰ／ＥＰに与える影響は大きいと思われる。加齢や高脂血症により血漿プラスマローゲン濃度は有意に低下するが、これは加齢や高脂血症により肝でのＥＰからＣＰへの変換能が低下した結果、プラスマローゲン合成は抑制され、血漿中濃度が低下したと考えられる。一方、ＣＰ／ＥＰは血漿プラスマローゲン濃度（特にＥＰ濃度）と有意な負相関（各係数−０．４４５，−０．５８３）を示すことから、ＥＰの過剰合成がＣＰ／ＥＰの低下をもたらした直接の原因と考えられる。つまり、加齢や高脂血症によりＥＰからＣＰへの変換能が低下し、プラスマローゲン合成のフィードバック抑制が掛かっている状態にも関わらず、何らかの原因でＥＰが過剰合成され、適正なＣＰ／ＥＰを維持できなくなったことが、ＬＤＬサイズの小型化を引き起こしたと思われる。ＥＰの過剰合成をもたらす原因に、TG-richリポタンパク質の慢性的な増加（空腹時ＴＧの増加）に起因する血中遊離脂肪酸の増加が、肝のperoxisome proliferator-activated
receptor α (PPARα)を定常的に活性化し、ペルオキシソームでの脂肪酸のβ酸化の亢進を招き、その結果大量に生成したアセチルＣｏＡからＥＰが過剰に合成されたと推測される。以上の実験事実と考察から、血漿ＣＰ／ＥＰの低下はメタボリックシンドロームの症候の一つとして注目されるｓＬＤＬの出現をもたらす原因である可能性が高く、ＣＰ／ＥＰの測定はメタボリックシンドロームの前段階検査としてきわめて有用であると考えることができる。
【００１５】
プラスマローゲンの分析法には、その特徴であるビニルエーテル結合の特異な性質を利用したものが多い。その一つ目は、ビニルエーテル結合が酸により極めて容易に水解されることを利用したもので、その水解産物である１−リゾ体あるいは長鎖アルデヒドを検出・定量することでプラスマローゲン量を測定する方法である。リゾ体の検出は、2次元ＴＬＣ法や酸処理後にＨＰＬＣで分離する方法などがあり、長鎖アルデヒドの検出は、アルデヒドをより安定な誘導体化してＧＣ／ＭＳで分析する方法などがある。又、酸性条件下でメタノリシスにより生成するジメチルアセタール化された長鎖アルデヒドを、同条件下でメチルエステル化される脂肪酸と同時にＧＣ或いはＧＣ／ＭＳで分析・定量する方法などもある。二つ目は、メタノール溶液中でヨウ素分子（実際にはＩ３−）がビニルエーテル結合に特異的に結合することを利用したもので、プラスマローゲンとの結合により減少したヨウ素分子に由来する吸光度変化を測定することでプラスマローゲン量を測定する方法である。ヨウ素法は極めて簡便かつ特異性と定量性に優れた方法であるが、感度が低いという難点がある。三つ目は、グリセロリン脂質をサブクラス（ジアシル型、アルキルアシル型、アルケニルアシル型すなわちプラスマローゲン）別に定量する方法である。但し、そのままの状態でこれらのサブクラスを分離することは困難なので、グリセロリン脂質のsn-3位の極性頭部をホスホリパーゼCで切断して、ジラジルグリセロール（ジアシルグリセロール、アルキルアシルグリセロール、アルケニルアシルグリセロール）を調整し、これらを安定化あるいは高感度検出が可能となるように誘導体化し、ＨＰＬＣで検出する。更に、順相と逆相のカラムを組合せて、分子種別に定量することも可能である。最近では、ＬＣ／ＭＳを利用してintactなままグリセロリン脂質をサブクラス別に分子種定量する方法なども報告されている。しかし、これらの既存の定量法は、感度や、精度、測定時間、操作の煩雑さ、測定に必要な検体量、測定機器の特殊性などに問題が有る。
【００１６】
最近、本願発明者は、プラスマローゲンの高感度で簡便・迅速な定量法の開発を目的として、放射性ヨウ素を用いたＨＰＬＣ法を開発した。これは、微量検体試料から抽出された脂質をメタノール中で放射性ヨウ素試薬と反応させ、この反応液をＨＰＬＣで溶出して放射活性を測定すると言う極めて簡便なものである。後述するように、０．５ｍＬ程度の血漿（或いは血清）を出発材料として、３０分程度の測定時間で、pmolレベルでＣＰ及びＥＰを分別定量できる。又、非放射性ヨウ素を用いたＬＣ／ＭＳ法により、ヨウ素結合による分子量の増加（+127）を測定することで、同様の効果が得られる。これらの方法により、ヒト血漿（或いは血清）プラスマローゲン濃度を簡便・迅速にルーチン測定することが可能となった。
【００１７】
そして、上記のような知見を基にして本発明がなされた。
【００１８】
すなわち、前記の課題は、酸化傷害の蓄積により起こる疾病の発症予防を目的として、酸化傷害の蓄積の程度を測定する検査法であり、
血液中プラスマローゲン濃度を測定することを特徴とする検査法によって解決される。
【００１９】
特に、癌、動脈硬化、動脈硬化を基礎疾患とする心筋梗塞、脳梗塞、糖尿病、炎症、或いはアルツハイマー病などの疾病の発症予防を目的として、酸化傷害の蓄積の程度を測定する検査法であり、
血液中プラスマローゲン濃度を測定することを特徴とする検査法によって解決される。
【００２０】
又、生活習慣病の発症予防を目的として、前記疾病の発症に至る共通の前段階状態を検査する方法であり、
血漿あるいは血清中のコリン型プラスマローゲンとエタノールアミン型プラスマローゲンの含有比を測定することを特徴とする検査法によって解決される。
【００２１】
特に、動脈硬化、高脂血症、糖尿病、高血圧、或いは中心性肥満などの疾病の発症予防を目的として、前記疾病の発症に至る共通の前段階状態を検査する方法であり、
血漿あるいは血清中のコリン型プラスマローゲンとエタノールアミン型プラスマローゲンの含有比を測定することを特徴とする検査法によって解決される。
【００２２】
又、上記の検査法であり、
（コリン型のプラスマローゲン含有量）／（エタノールアミン型のプラスマローゲン含有量）を求めるステップ
を具備することを特徴とする検査法によって解決される。
【００２３】
又、上記の検査法であり、
コリン型のプラスマローゲン含有量を測定するＣＰステップと、
エタノールアミン型のプラスマローゲン含有量を測定するＥＰステップ
とを具備することを特徴とする検査法によって解決される。
【００２４】
又、上記の検査法であり、
コリン型のプラスマローゲン含有量を測定するＣＰステップと、
エタノールアミン型のプラスマローゲン含有量を測定するＥＰステップと、
前記ＣＰステップで得られたコリン型のプラスマローゲン含有量と前記ＥＰステップで得られたエタノールアミン型のプラスマローゲン含有量との比を求めるステップ
とを具備することを特徴とする検査法によって解決される。
【００２５】
更に、コリン型のプラスマローゲンとエタノールアミン型のプラスマローゲンを含有するプラスマローゲンの合計含有量を求めるステップを具備する上記検査法によって解決される。
【００２６】
上記本発明においては、血漿、血清、及び／又は赤血球膜中のプラスマローゲン含有量を、三ヨウ化物イオン（Ｉ３−）を含む試薬を用いて測定される。又、血漿、血清、及び／又は赤血球膜から抽出した脂質に三ヨウ化物イオン（Ｉ３−）を反応させて脂質成分中のプラスマローゲンにヨウ素（Ｉ）を特異的に結合させる段階と、前記結合物をクロマトグラフィーの手法によりコリン型プラスマローゲンとエタノールアミン型プラスマローゲンとに分別して定量する段階とを有する。
【００２７】
本発明においては、放射性ヨウ素が用いられる。例えば、プラスマローゲン含有量、特に血中（血漿あるいは血清中）プラスマローゲン含有量は、三ヨウ化物イオン（放射性の三ヨウ化物イオン）を用いることによって測定される。特に、血中（血漿あるいは血清中）に含まれるプラスマローゲンに三ヨウ化物イオンを結合させる結合ステップと、前記結合ステップの後、クロマトグラフィ（特に、ＨＰＬＣ）法の手段を用いて分けられたコリン型のプラスマローゲン含有量とエタノールアミン型のプラスマローゲン含有量とを測定する含有量測定ステップとを具備する手法によって測定される。尚、放射性三ヨウ化物イオンを用いた場合にあっては、プラスマローゲンに結合した125Ｉを放射能測定器によって簡単に測定できる。又、非放射性ヨウ素が用いられる。三ヨウ化物イオン（Ｉ３−）を含む試薬は、ヨウ素イオン（Ｉ−）を、アルコール中で、酸性条件下、酸化剤で酸化することにより調整される。
【発明の効果】
【００２８】
プラスマローゲンは内因性抗酸化物という側面を持つことから、その生体組織での含有量が酸化ストレスマーカーになることが見出された。すなわち、計２６７名の血漿プラスマローゲン濃度を測定し、若年者群と中高年者群の血漿プラスマローゲン濃度の比較から、血漿プラスマローゲン濃度が酸化ストレスマーカーになることが確かめられた。若年健常者１１９名（平均年齢２３．５歳）と高脂血症者を含む中高年者１４８名（平均年齢６５．２歳）から採取した血漿各0.5ｍＬを出発材料とし、これから抽出した脂質成分の一部を用いてプラスマローゲン定量を行った。１検体当たりの測定時間は３０分で、測定前後のカラム洗浄を含めても、１０〜１５検体／日の効率で検体を分析することが出来た。中高年者群では若年者群の約６割程度に血漿プラスマローゲン濃度が低下していることが明らかとなり、血漿プラスマローゲン濃度が酸化ストレスマーカーになることが判った。
【００２９】
そして、例えば動脈硬化症、高脂血症、糖尿病、高血圧症、中心性肥満症、或いは心筋梗塞などの生活習慣病と言った疾病に共通する前段階の代謝異常（メタボリックシンドローム）を、簡単に検査することが出来る。
【発明を実施するための最良の形態】
【００３０】
［三ヨウ化物イオン（Ｉ３−）を含む反応試薬の作成］
市販の放射性ヨウ素（Ｎａ１２５Ｉ）、又は非放射性ヨウ素（ＫＩ，ＮａＩ）を、密栓容器内でアルコール（例えば、メタノール）中、酸性条件下（例えば、ｐＨ５．０〜６．５。特に、ｐＨ５．５〜６．０）で、酸化剤（例えば、過酸化水素Ｈ２Ｏ２）により、一晩、室温で酸化した。これにより、プラスマローゲンに特異的に結合する放射性あるいは非放射性三ヨウ化物（Ｉ３−）を、７０〜８０％の収率で得ることが出来た。この時の放射性ヨウ素の回収率はほぼ１００％で、放射性ヨウ素分子（１２５Ｉ２）の散逸の無い極めて安全な方法であった。
【００３１】
三ヨウ化物イオン（Ｉ３−）は、プラスマローゲンに特異的に１：１の割合で反応し、ヨウ素原子１個につき２個のビニルエーテル部位（-CH2-O-CH=CH-）が結合に関与した。例えば、１．８５ＭＢｑ／ｍＬの放射活性をもつ反応試薬を用いて、数十pmolの感度でプラスマローゲンを検出することが出来た。これはヨウ素を用いた従来の定量法と比べてほぼ１０００倍の高感度であった。尚、この感度は反応試薬中の１２５Ｉ含量を増加させる（比放射活性を高める）ことにより、更に増感することが可能である。又、非放射性ヨウ素から作成した反応試薬を用いた場合でも、質量分析計（ＭＳ）を検出器に用いることにより、ほぼ同等の感度でプラスマローゲンを検出することが出来た。本反応試薬は、室温保存で少なくとも１ヶ月以上、安定に使用することが出来た。
【００３２】
［検体試料の作成］
若年健常者群（１１９名、平均年齢２３．５歳）の血液、及び高脂血症者を含む中高年者群（１４８名、平均年齢６５．２歳）の血液を用意した。
【００３３】
ヒト新鮮血漿（或いは血清０．５ｍｌ，赤血球０．１mｌpacked
cells）からの総脂質の抽出は、抗酸化剤（例えば、 butylated hydroxytoluene）を含むクロロホルム／メタノール（１：２体積比）を用いてBligh&Dyer法により行なった。脂質抽出液の一部をネジ口ガラス試験管に正確に秤量・採取し、窒素ガスを吹き付けることにより有機溶媒を蒸発させた。脂質を元の血漿（或いは血清、赤血球）濃度と等しくなるようにメタノールを加えて溶解し、これをフィルター（例えば、０．２μｍ）でろ過したものをプラスマローゲンの測定用試料、及びリン定量（リン脂質濃度の測定）用試料として使用した。
【００３４】
［プラスマローゲンの定量］
安全キャビネット内で、オートインジェクター用ゴムキャップ付きガラスバイアル中で各検体脂質試料（10〜50μl）とＩ３−を含む反応試薬 (10mM-I, 10〜20μl)とを混合し、室温で一定時間（通常、一晩）放置後、これにメタノール（50〜100μl）を加えたものHPLCに供した。HPLCはコリングリセロリン脂質とエタノールアミングリセロリン脂質が分別できるカラム（例えば、Diolカラムなど）を用い、オートインジェクターで注入した測定試料（20μl）を溶出溶媒（例えば、アセトニトリル／水= 90／10 ）用いて溶出（例えば、流速0.7ml/minなど）した。Diolカラムを用いた場合は、非結合性ヨウ素および中性脂質（コレステロール、トリグリセリド、遊離脂肪酸など）はvoid fractionに溶出し、コリングリセロリン脂質、エタノールアミングリセロリン脂質、リゾコリングリセロリン脂質、リゾエタノールアミングリセロリン脂質の順に溶出した。ヨウ素と結合した各グリセロリン脂質は、ヨウ素と結合していないグリセロリン脂質と各々全く同一の時間に溶出した。脂質成分全般の溶出は、UV検出器により206nmの波長でモニターした。プラスマローゲン（由来のヨード結合リン脂質）の検出は、放射性ヨウ素（１２５Ｉ）を用いた場合はγカウンターで放射活性を測定することにより、非放射性ヨウ素を用いた場合は質量分析計（ＭＳ）でヨウ素原子付加による分子量の増加（+127）を測定することにより行った。放射活性の測定に、フロー型γカウンターを設置することで、プラスマローゲンの定量は、放射性ヨウ素ならびに非放射性ヨウ素のどちらを用いた場合も全自動での稼動が可能となる。
【００３５】
そして、このようにして測定されたコリン型プラスマローゲン（ＣＰ）量やエタノールアミン型プラスマローゲン（ＥＰ）量を表−１に示す。尚、上記のようにして得られた測定値を基にして、プラスマローゲン（ＣＰ＋ＥＰ）量、及び（ＣＰ量）／（ＥＰ量）を求めたので、これらの値についても併せて表−１に示す。
【００３６】
表−１
2007033410.tif 000002
【００３７】
又、高脂血症者を含む中高年者群（１４８名、平均年齢６５．２歳）について、冠動脈狭窄の有無、耐糖能異常、有意狭窄、年齢、性、CAG、OGTT、 高脂血症、耐糖能異常、身長、体重、BMI、喫煙（本数/日、期間）、家族歴、高血圧症、痛風などの検査項目と、血漿プラスマローゲン濃度、尿酸値、TC, TG空腹時、HDL、LDL、 FBS、 HbA1c、 TC 2、 TG 2、 HDL 2、 LDL 2、 アポ蛋白Ａ-Ｉ、アポ蛋白Ａ-II、アポ蛋白Ｂ、アポ蛋白Ｃ-II、アポ蛋白Ｃ-III、アポ蛋白E、LP(A)、LP-F PGR、リポ蛋白α（HDL)、リポ蛋白β（LDL)、リポ蛋白preβ（VLDL)、RLP-C、S_0'、S_120'、IRI_0'、IRI_120'、IRI_0'、IRI_120'、HOMA_IR、LPL、アディポネクチン、MDA_LDL、LPL後、ApoB48前、ApoB48後、LDL_size、リン脂質濃度、コリン・プラスマローゲン(CP)、エタノールアミン・プラスマローゲン(EP)、CP/EPなどの検査項目をの測定から、各項目間での相関性が調べられた結果、空腹時トリグリセリド（ＴＧ），ＨＤＬ2，ＣＰ／ＥＰの各値とＬＤＬサイズとの間で有意な相関性が認められたので、それを表−２に示す。
【００３８】
表−２
2007033410.tif 000003
【００３９】
血漿あるいは血清、赤血球などの検体脂質成分と結合したヨウ素量からプラスマローゲン量を決定することが出来た。これから算出された血漿（あるいは血清）プラスマローゲン濃度は、酸化ストレスマーカーとして酸化傷害の蓄積の程度を反映すると考えられる。又、コリンプラスマローゲン（ＣＰ）とエタノールアミンプラスマローゲン（ＥＰ）に分別して定量された値から、ＣＰ／ＥＰを求めることが出来、この値の低下はメタボリックシンドロームの前段階状態を反映すると考えられる。
【００４０】
従って、本発明による一度の測定で、癌や動脈硬化、動脈硬化を基礎疾患とする心筋梗塞や脳梗塞、更に糖尿病や炎症、アルツハイマー病などの酸化傷害の蓄積により起こる疾病や、動脈硬化症や高脂血症、糖尿病、高血圧、中心性肥満などの生活習慣病（メタボリックシンドローム）と言う広範囲の疾病の発症予防の目的に資することが出来る。
代  理  人  宇  高    克  己